(57)【要約】【課題】幼虫の移し替え時には、簡便かつ確実に幼虫を取り出すことができ、幼虫を傷付けることなく、短時間で移し替え作業を行うことができ、幼虫のストレスや人の手間を軽減でき、使用性に優れるとともに、部材点数が少なく、複雑な加工が不要で量産性に優れる甲虫類の幼虫の二重飼育容器の提供。【解決手段】周壁部の少なくとも一側部で栽割可能若しくは開閉可能に形成され又は周壁部が２以上に分断されて形成され或いは全体が２以上に分割可能に形成された内挿体と、内挿体を着脱自在に内包した外側容器と、を有しているので、内挿体の内部から幼虫を傷付けることなく取り出すことができ、短時間で移し替え作業を行うことが可能で、幼虫のストレスや人の手間を軽減することができる。【選択図】図１
2010200614.tif 000002
【特許請求の範囲】
【請求項１】
甲虫類の幼虫の飼育に用いられる二重飼育容器であって、
周壁部の少なくとも一側部で栽割可能若しくは開閉可能に形成され又は周壁部が２以上に分断されて形成され或いは全体が２以上に分割可能に形成された内挿体と、前記内挿体を着脱自在に内包した外側容器と、を有することを特徴とする二重飼育容器。
【請求項２】
前記内挿体の前記周壁部の長手方向の少なくとも一端部に形成された切れ目部を有することを特徴とする請求項１に記載の二重飼育容器。
【請求項３】
周壁部の少なくとも一側部で開閉可能に形成された前記内挿体の開口部を開閉自在に保持する開口保持部を有することを特徴とする請求項１に記載の二重飼育容器。
【請求項４】
全体が２以上に分割可能に形成された前記内挿体の分割部を着脱自在に保持する分割保持部を有することを特徴とする請求項１に記載の二重飼育容器。
【請求項５】
前記内挿体の底部に下方に突出して形成された脚部を有することを特徴とする請求項１乃至４の内いずれか１項に記載の二重飼育容器。
【請求項６】
前記内挿体の前記周壁部に対して着脱自在に覆設される内挿体底蓋部を有することを特徴とする請求項１乃至５の内いずれか１項に記載の二重飼育容器。
【請求項７】
前記内挿体の底部に穿設された水抜き孔を有することを特徴とする請求項１乃至６の内いずれか１項に記載の飼育容器。
【請求項８】
前記内挿体の前記周壁部の上端部の少なくとも一部に前記周壁部の外周方向に突出して形成された鍔部と、前記外側容器の外筒周壁部の上端部に形成され前記内側容器の前記鍔部が係止される係止部と、前記外側容器の前記外筒周壁部の上端外周に形設された上端係着部と、前記外側容器の前記上端係着部に係着され前記内挿体及び前記外側容器の上端開口部に着脱自在に覆設される上蓋と、を有することを特徴とする請求項１乃至７の内いずれか１項に記載の二重飼育容器。
【請求項９】
前記外側容器の外筒周壁部が上下に分割可能に形成され又は前記外側容器の外筒周壁部に対して外筒底蓋部が着脱自在に覆設されることを特徴とする請求項１乃至８の内いずれか１項に記載の二重飼育容器。
【請求項１０】
前記外側容器が、外筒周壁部の下端側の外周又は内周に形設された下端係着部と、前記外筒周壁部の上端側の内周又は外周に形設され他の外側容器の下端係着部と着脱可能な上端係着部と、前記下端係着部に着脱自在に係着される底蓋係着部を有する外筒底蓋部と、前記上端嵌着部に着脱自在に係着される上蓋係着部を有する上蓋と、を備えたことを特徴とする請求項１乃至７の内いずれか１項に記載の二重飼育容器。
【発明の詳細な説明】
【技術分野】
【０００１】
本発明は、カブトムシやクワガタムシ等の甲虫類の幼虫の飼育に用いられる二重飼育容器に関する。
【背景技術】
【０００２】
カブトムシやクワガタムシ等の甲虫類の人工飼育は盛んに行われており、飼育容器に餌床と共に幼虫を入れて飼育する方法が一般的に行われている。また、餌床としては、オガ粉に小麦粉、米ぬか、フスマ等の栄養剤を配合殺菌し、それにキノコ菌を培養したもので形成されたものが、一般的に用いられている。
【０００３】
上記の飼育方法においては、餌となる菌糸の食い尽くしや消滅・劣化と共に幼虫が出す排泄物の増加等により餌床中に雑菌が蔓延することになるため、定期的に幼虫の移し替えを行う必要がある。移し替えの方法としては、餌床の幼虫をスプーンですくい上げて行うものがあるが、スプーンの挿入の際に幼虫を潰したり、傷付けたりするという問題があった。また、本来、朽ち木の中にいるものを温度や光・振動等の物理的変化のある空中に剥き出しにし、風や光等の外気に曝すことにより、幼虫に多大なストレスを与えるという問題があった。
【０００４】
これらの問題を解決するために、（特許文献１）には、餌床中に生息するくわがた等の幼虫を潰すことなく入れ替えを簡単に行うことができるように、筒状容器本体を下方へ末広がり形状とした飼育容器が開示されている。
また、（特許文献２）には、上蓋及び底蓋が容器本体と脱着可能にし、前記容器本体同士を連結部材を用いて上下に重ねて連結できるように設計し幼虫が自力で新しい該容器へ移動することが可能な飼育容器が開示されている。
【先行技術文献】
【特許文献】
【０００５】
【特許文献１】特開平１１−２６６７４１号
【特許文献２】特開２００１−２０４２９８号
【発明の概要】
【発明が解決しようとする課題】
【０００６】
しかしながら、上記従来の技術は以下のような課題を有していた。
（１）（特許文献１）の方法においても、入れ替え作業そのものは従来の瓶と同じであり、幼虫の損傷を完全に防止することが困難であるという課題があった。
（２）（特許文献２）に開示された飼育容器も、古くなった餌床が入った容器の下に、新しい餌床を入れた容器本体が連結部材を通じて連結され、幼虫が自力で下に連結された新しい餌床に移動することで移し替えができるとされている。しかしながら、連結部材が必要なため、部材が増えるだけでなく、連結の時期の判断が難しく、また連結に手間を要するという課題があった。また、幼虫は、一般的に餌を食べながら下から上に移動するため、下に連結された容器に自然に移動させるには時間を要し、特に、容器本体と容器本体との間に形成される空間を移動させることが困難であるという課題があった。更に、中々幼虫が移動しない場合には、古い餌床側に不快な音を立てる等して刺激する必要があり、使用性に欠けるという課題があった。加えて、新しい餌床を下に接続するため、雑菌等が一番多く含まれている底部の古い餌床屑が新しい餌床に落下して混ざり、生育環境を劣化させるという課題もあった。また、上方向に移動する幼虫には対応し難いという課題もあった。
【０００７】
本発明は、上記課題を解決するもので、幼虫の移し替え時には、簡便かつ確実に幼虫を取り出すことができ、幼虫を傷付けることなく、短時間で移し替え作業を行うことができ、幼虫のストレスや人の手間を軽減でき、使用性に優れるとともに、部材点数が少なく、複雑な加工が不要で量産性に優れる甲虫類の幼虫の二重飼育容器を提供することを目的とする。
【課題を解決するための手段】
【０００８】
本発明の請求項１に記載の二重飼育容器は、甲虫類の幼虫の飼育に用いられる二重飼育容器であって、周壁部の少なくとも一側部で栽割可能若しくは開閉可能に形成され又は周壁部が２以上に分断されて形成され或いは全体が２以上に分割可能に形成された内挿体と、前記内挿体を着脱自在に内包した外側容器と、を有する構成からなる。
この構成により、以下のような作用を有する。
（１）周壁部の少なくとも一側部で栽割可能若しくは開閉可能に形成され又は周壁部が２以上に分断されて形成され或いは全体が２以上に分割可能に形成された内挿体と、内挿体を着脱自在に内包した外側容器を有するので、内挿体に餌床と共に幼虫を入れておけば、餌が減るなどして、幼虫を新しい容器に移し替える際に、外側容器から内挿体を取り出し、内挿体の周壁部を栽割するか若しくは開くか或いは内挿体を分割することにより、容易に餌床をほぐして、内部の幼虫を傷付けることなく取り出すことができ、短時間で移し替え作業を行うことが可能で、幼虫のストレスや人の手間を軽減でき、使用性に優れる。
（２）周壁部の少なくとも一側部で栽割可能に形成された内挿体は、人が手で簡単に裂くことができ、構造が極めて簡単で量産性に優れる。
（３）周壁部の一側部で開閉可能に形成された内挿体、周壁部が２以上に分断されて形成された内挿体、全体が２以上に分割可能に形成された内挿体は、繰り返し使用することが可能で、省資源性に優れる。
（４）周壁部が２以上に分断されて形成された内挿体は、外側容器から内挿体を取り出すだけで、内挿体の周壁部を外方に広げて、内部の餌や幼虫を取り出すことができ、構造が簡単で量産性、取扱い性に優れると共に、繰り返し使用することも可能で、省資源性に優れる。
【０００９】
ここで、外側容器の上端及び／又は下端には内挿体を出し入れするための開口部が形成され、開口部には上蓋及び／又は底蓋が着脱自在に覆設される。内挿体の内部には幼虫の入った餌床が充填されている。内挿体の上端は開口しているが、外側容器の天板又は上蓋で閉塞される。外側容器の天板又は上蓋の天面には、空気孔が形成される。空気孔の上側又は下側にはフィルターが配設されるのが好ましい。これにより餌床屑の漏れを防ぐと共に、空気の流通を確保することができる。また、ダニ、ハエ、その他の微生物の侵入を防止できる。
二重飼育容器の外側容器に対し、内挿体が着脱自在に内包されるので、ユーザーは最初に外側容器と内挿体の揃った二重飼育容器を買った後は、移し替え用の新しい飼料の入った内挿体又は餌床だけを購入すればよく、従来のように移し替えの度に一式揃って購入する必要がなく、低廉価で購入し易く、また省資源性に優れる。特に、周壁部の一側部で開閉可能に形成された内挿体、周壁部が２以上に分断されて形成された内挿体、全体が２以上に分割可能に形成された内挿体の場合、一旦、業者が回収し、新しい飼料を詰めて再使用することができ、省資源性に優れる。尚、内挿体の形状に合わせて、ブロック状に成形された飼料であれば、ユーザーが自分で詰め替えることができるので、飼料のみを購入すればよい。
【００１０】
二重飼育容器の外側容器は、底面が矩形や八角形等の多角筒状や円筒状に形成される。外側容器の外筒周壁部を多角筒状に形成した場合、横倒しにしても、外筒周壁部と接地面が平面で接触し、二重飼育容器の転がりを防止できる。また、外側容器の外筒周壁部が円筒状の場合、外筒周壁部の上端部や下端部或いは外筒周壁部に着脱自在に覆設される上蓋や底蓋の側部に部分的に平坦な転がり防止部を形設してもよい。尚、内挿体と外側容器は、同形状に形成する必要はなく、例えば、内挿体を円筒状に形成し、外側容器を多角筒状に形成してもよいし、その逆でもよい。
内挿体及び外側容器は、ＰＥやＰＰ等のポリオレフィン、ＰＳ、ＰＣ、ＰＥＴ等の合成樹脂で製造される。ＰＥやＰＰ等のポリオレフィンで内挿体の周壁部を薄肉に形成することにより、栽割可能とすることができる。このとき、内挿体の周壁部は、シームレス状に成形してもよいし、シート材の両端部を熱溶着や接着剤などで貼り合わせてもよい。貼り合わせた部分が剥がれ易いように、粘着力の弱い接着剤などを用いれば、小さな力で容易に周壁部を栽割することができ、使用性に優れる。
【００１１】
内挿体を周壁部の一側部で開閉可能に形成する場合は、開閉自在な開口部と対向する側に折り曲げ可能な薄肉部（ヒンジ部）を一体的に形成することにより、組み立て作業が不要で製造工数を低減でき生産性に優れる。また、１枚のシートを円筒状に丸めたり、多角筒状に折り曲げたりして端部同士を突き合わせたり、重ね合わせたりするだけでもよいし、半円筒状に湾曲させた２枚のシートの両端部同士を突き合わせてもよい。
内挿体の周壁部を２以上に分断して形成する場合は、分断される各々の分割壁部を底部に対して折り曲げ自在に形成することにより、分割壁部を立てて筒状にしたり、分割壁部を広げて平面状に展開したりすることができ、生産性、使用性に優れる。
尚、内挿体は必ずしも底部を有する必要はなく、外側容器の底部と兼用することもできる。
また、少なくとも外側容器は、顔料で、暗色系（コゲ茶等）の半透明に着色し、遮光性を備えるようにするのが好ましい。光の透過率を下げてストレスを与えないようにするためである。
【００１２】
請求項２に記載の発明は、請求項１の二重飼育容器において、前記内挿体の前記周壁部の長手方向の少なくとも一端部に形成された切れ目部を備えた構成を有している。
この構成により、請求項１の作用に加え、以下のような作用を有する。
（１）内挿体の周壁部の長手方向の少なくとも一端部に形成された切れ目部を有することにより、切れ目部が形成された一端部から他端部に向かって周壁部を小さな力で簡便かつ確実に栽割することができ、使用性に優れる。
ここで、切れ目部としては、周壁部の長手方向の一端部のみに略Ｖ字状等に形成してもよいし、周壁部の長手方向の一端部或いは全長に亘って、ミシン目状に形成してもよい。
切れ目部は、周壁部の上端部側に形成されるのが好ましい。周壁部を栽割し易く、省力性に優れるためである。周壁部の上端に鍔部を設ける場合は、同様の理由から、鍔部や鍔部から周壁部の上部にかけて切れ目部が形成されるのが好ましい。
【００１３】
請求項３に記載の発明は、請求項１の二重飼育容器において、周壁部の少なくとも一側部で開閉可能に形成された前記内挿体の開口部を開閉自在に保持する開口保持部を備えた構成を有している。
この構成により、請求項１の作用に加え、以下のような作用を有する。
（１）周壁部の少なくとも一側部で開閉可能に形成された内挿体の開口部を開閉自在に保持する開口保持部を有するので、通常は内挿体の開口部を確実に閉じて内部に餌床及び幼虫を保持できると共に、幼虫の移し替えを行う際には、開口保持部によって簡便に内挿体の周壁部を開放して餌床を露出させることができ、餌床の中から幼虫を傷付けることなく取り出すことができ、使用性に優れる。
ここで、開口保持部としては、内挿体の開口部を開閉自在に保持できるものであればよい。例えば、開口部の両側に互いに係合する係合突起を設けたものや、互いに嵌合する嵌合雄部と嵌合雌部を設けたもの等が用いられる。
【００１４】
請求項４に記載の発明は、請求項１の二重飼育容器において、全体が２以上に分割可能に形成された前記内挿体の分割部を着脱自在に保持する分割保持部を備えた構成を有している。
この構成により、請求項１の作用に加え、以下のような作用を有する。
（１）全体が２以上に分割可能に形成された内挿体の分割部を着脱自在に保持する分割保持部を有するので、通常は内挿体の分割部を確実に閉じて内部に餌床及び幼虫を保持できると共に、幼虫の移し替えを行う際には、分割保持部によって簡便に内挿体の周壁部を開放して餌床を露出させることができ、餌床の中から幼虫を傷付けることなく取り出すことができ、使用性に優れる。
ここで、分割保持部としては、内挿体の分割部を開閉自在に保持できるものであればよく、上述の開口保持部と同様のものが好適に用いられる。
【００１５】
請求項５に記載の発明は、請求項１乃至４の内いずれか１項に記載の二重飼育容器において、前記内挿体の底部に下方に突出して形成された脚部を備えた構成を有している。
この構成により、請求項１乃至４の内いずれか１項の作用に加え、以下のような作用を有する。
（１）内挿体の底部に下方に突出して形成された脚部を有することにより、内挿体の底部が外側容器の内底面に接触することがないので、内挿体の底部に水抜き孔を形成した際に、液状になった排泄物等の水分を内挿体の外に確実に排出することができる。
ここで、脚部は外側容器の内部で内挿体を支持することができればよく、形状や配置などは、外側容器及び内挿体の形状や寸法などに応じて適宜、選択することができる。
尚、水抜き孔は、内挿体の底部に予め形成してもよいが、移し替え用の新しい飼料の入った内挿体の場合は、使用直前に針などで水抜き孔を形成することが好ましい。雑菌の繁殖やダニ等の侵入を防ぎ、生育環境の劣化を防止するためである。
【００１６】
請求項６に記載の発明は、請求項１乃至５の内いずれか１項に記載の二重飼育容器において、前記内挿体の前記周壁部に対して着脱自在に覆設される内挿体底蓋部を備えた構成を有している。
この構成により、請求項１乃至５の内いずれか１項の作用に加え、以下のような作用を有する。
（１）内挿体の周壁部と内挿体底蓋部が着脱自在であるので、内挿体底蓋部を取り外すことにより、周壁部のみを栽割若しくは開放又は分割して、簡便かつ確実に餌床を取り出すことができ、餌床の中から容易に幼虫を探し出すことが可能で、使用性に優れる。
ここで、内挿体の周壁部と内挿体底蓋部は着脱自在であればよい。内挿体底蓋部は底板部と底板部の外周を囲繞する側壁部を有するものが好適に用いられる。側壁部によって周壁部の形状を保持することができ、周壁部が開口部や分割部から開いて内部の餌などが外側容器に漏れることを防止でき、内挿体の形状安定性に優れる。尚、周壁部の下端側を側壁部の内側に挿通して嵌合させるだけでもよいし、螺子で螺着するようにしてもよい。
【００１７】
請求項７に記載の発明は、請求項１乃至６の内いずれか１項に記載の二重飼育容器において、前記内挿体の底部に穿設された水抜き孔を備えた構成を有している。
この構成により、請求項１乃至６の内いずれか１項の作用に加え、以下のような作用を有する。
（１）内挿体の底部に穿設された水抜き孔を有することにより、液状になった排泄物等の水分を内挿体の外に確実に排出することができ、餌床を清潔に保つことが可能で、幼虫の成育性に優れる。
ここで、水抜き孔は開放状態のままで使用してもよいし、栓の挿抜により開閉を切り替えて使用してもよい。水抜き孔を開閉自在とした場合、幼虫の生態を観察しながらその状態に応じて、水抜き孔を開閉し、水分（湿度）の調節を行って、内挿体内の環境を幼虫の生育に適した範囲内に適正に維持させることができ、これによって幼虫の生育不良を防止できる。
【００１８】
請求項８に記載の発明は、請求項１乃至７の内いずれか１項に記載の二重飼育容器において、前記内挿体の前記周壁部の上端部の少なくとも一部に前記周壁部の外周方向に突出して形成された鍔部と、前記外側容器の外筒周壁部の上端部に形成され前記内挿体の前記鍔部が係止される係止部と、前記外側容器の前記外筒周壁部の上端外周に形設された上端係着部と、前記外側容器の前記上端係着部に係着され前記内挿体及び前記外側容器の上端開口部に着脱自在に覆設される上蓋と、を備えた構成を有している。
この構成により、請求項１乃至７の内いずれか１項の作用に加え、以下のような作用を有する。
（１）内挿体の周壁部の上端部の少なくとも一部に周壁部の外周方向に突出して形成された鍔部と、外側容器の外筒周壁部の上端部に形成され内挿体の鍔部が係止される係止部を有することにより、内挿体の内挿時に、内挿体の鍔部を外側容器の係止部に係止して確実に内挿体を保持することができ、内挿体を外側容器から取り出す際には、鍔部を利用して、容易に内挿体を取り出すことができ、内挿体の着脱作業性に優れる。
（２）外側容器の外筒周壁部の上端外周に形設された上端係着部と、外側容器の上端係着部に係着され内挿体及び外側容器の上端開口部に着脱自在に覆設される上蓋を有するので、外側容器に上蓋を着脱するだけで、内挿体及び外側容器の上端開口部を同時に開閉することができ、内挿体の着脱作業性に優れる。
（３）外側容器に上蓋を係着することにより、上蓋と外側容器の鍔部との間で、内挿体の係止部を挟持することができ、外側容器の内部で内挿体が傾いたり回転したりすることがなく、内挿体の姿勢を維持することが可能で、内挿体の固定安定性に優れる。
【００１９】
ここで、内挿体の鍔部は、周壁部の上端部の外周に全周に渡って形成してもよいし、２以上に分割して要所に配置してもよい。特に鍔部を複数に分割して形成する場合、等角度間隔で配置することにより、内挿体の重量を複数の鍔部に均等に分散させることができ、特定の鍔部に負荷が集中することを防止できると共に、内挿体の傾きを防止することができ、固定の信頼性に優れる。
内挿体の周壁部の高さを外側容器の外筒周壁部の高さよりも短く形成した場合、内挿体の底部を外側容器の内底面から浮かせて空間を形成することができるので、内挿体の底部に水抜き孔を形成した際に、液状になった排泄物等の水分を内挿体の外に確実に排出し、外側容器の底部に溜めることができる。
上端係着部としては、外筒周壁部の外周に螺子や突起若しくはＬ字の鉤溝等を形設したものが好適に用いられる。上蓋には、天面部と天面部の外周を囲繞する上蓋周壁部を形成し、上蓋周壁部の内周に外筒周壁部の上端係着部と螺合或いは係止される螺子や突起若しくはＬ字の鉤溝等からなる上蓋係着部を形設することにより、係着後に上蓋を手で持ち上げても外筒周壁部が抜け落ちるのを防止できる。
【００２０】
請求項９に記載の発明は、請求項１乃至８の内いずれか１項に記載の二重飼育容器において、前記外側容器の外筒周壁部が上下に分割可能に形成され又は前記外側容器の外筒周壁部に対して外筒底蓋部が着脱自在に覆設される構成を有している。
この構成により、請求項１乃至８の内いずれか１項の作用に加え、以下のような作用を有する。
（１）外側容器の外筒周壁部が上下に分割可能に形成され又は外側容器の外筒周壁部に対して外筒底蓋部が着脱自在に覆設されることにより、外側容器を外筒周壁部で上下に分割するか、外筒周壁部から外筒底蓋部を取り外して、内挿体を簡便に取り出すことができ、内挿体の着脱作業性に優れる。
ここで、外側容器の外筒周壁部を上下に分割可能に形成する場合、螺子や突起若しくはＬ字の鉤溝等で係着するものは着脱作業が容易で、使用性に優れる。特に、雄螺子と雌螺子で螺合するものは固定の安定性、確実性に優れ、好適に用いられる。尚、上下の分割比率は、適宜、選択することができる。
外側容器の外筒周壁部に対して外筒底蓋部を着脱自在に形成する場合、外筒底蓋部は底板部と底板部の外周を囲繞する側壁部を有するものが好適に用いられる。外筒周壁部の外周又は内周に螺子や突起若しくはＬ字の鉤溝等を形設した下端係着部と、外筒底蓋部の側壁部の内周又は外周に形成した底蓋係着部で係着することにより、内部に確実に内挿体を保持することができ、信頼性に優れる。
【００２１】
請求項１０に記載の発明は、請求項１乃至７の内いずれか１項に記載の二重飼育容器において、前記外側容器が、外筒周壁部の下端側の外周又は内周に形設された下端係着部と、前記外筒周壁部の上端側の内周又は外周に形設され他の外側容器の下端係着部と着脱可能な上端係着部と、前記下端係着部に着脱自在に係着される底蓋係着部を有する外筒底蓋部と、前記上端嵌着部に着脱自在に係着される上蓋係着部を有する上蓋と、を備えた構成を有している。
この構成により、請求項１乃至７の内いずれか１項の作用に加え、以下のような作用を有する。
（１）外側容器が、外筒周壁部の下端側の外周又は内周に形設された下端係着部と、外筒周壁部の上端側の内周又は外周に形設され他の外側容器の下端係着部と着脱可能な上端係着部を有するので、飼育するカブトムシやクワガタムシ等の種類などに応じて、複数の外側容器を連結して全長（容積）を調整することができ、外側容器の設計自在性に優れる。
（２）外筒周壁部の下端係着部に着脱自在に係着される底蓋係着部を有する外筒底蓋部と、外筒周壁部の上端嵌着部に着脱自在に係着される上蓋係着部を有する上蓋を備えているので、外筒底蓋部又は上蓋のいずれか一方を取り外して簡便に内挿体を出し入れすることができ、餌床の交換や幼虫の移し替え作業が容易で、内挿体の着脱作業性に優れる。
【００２２】
ここで、外側容器の下端係着部と外筒底蓋部の底蓋係着部及び外側容器の上端係着部と上蓋の上蓋係着部は互いに螺合或いは係止される螺子や突起若しくはＬ字の鉤溝等で形成される。
複数の外側容器を連結して使用する場合、連結後の外筒周壁部の全長に応じた内挿体を組み合わせて使用することにより、餌の量を増やして、幼虫の移し替えの作業回数を減らすことができ、使用性に優れる。このとき、内挿体の全長が、外筒周壁部の全長よりもやや長くなるように形成し、内挿体を外側容器に内挿した際に、内挿体の下端又は上端が外筒周壁部の下端又は上端から突出するようにしておけば、外筒底蓋部又は上蓋を取り外した状態で、内挿体の下端又は上端を直接、手で掴んで確実に内挿体の出し入れを行うことができ、内挿体の着脱作業性に優れる。
尚、複数の外側容器を下端係着部と上端係着部で連結した時に、外筒周壁部がストレート（面一）になるように下端係着部と上端係着部を形設することにより、内挿体の着脱時に外筒周壁部の内部で引っ掛かることがなく、スムーズに内挿体の出し入れを行うことができ、内挿体の着脱作業性に優れると共に、餌床の内部で幼虫が移動する際の障害物がなく、幼虫が傷付き難く、ストレスを低減することができ、飼育環境の安全性に優れる。
【発明の効果】
【００２３】
以上のように、本発明の二重飼育容器によれば、以下のような効果が得られる。
請求項１に記載の発明によれば、以下のような効果を有する。
（１）餌が減るなどして、幼虫を新しい容器に移し替える際に、外側容器から内挿体を取り出し、内挿体の周壁部を栽割するか若しくは開くか或いは内挿体を分割することにより、容易に餌をほぐして、内部の幼虫を傷付けることなく取り出すことができ、短時間で移し替え作業を行うことが可能で、幼虫のストレスや人の手間を軽減できる使用性に優れた二重飼育容器を提供することができる。
【００２４】
請求項２に記載の発明によれば、請求項１の効果に加え、以下のような効果を有する。
（１）切れ目部が形成された内挿体の周壁部をその一端部から他端部に向かって極めて小さな力で簡便かつ確実に栽割することができる使用性に優れた二重飼育容器を提供することができる。
【００２５】
請求項３に記載の発明によれば、請求項１の効果に加え、以下のような効果を有する。
（１）通常は内挿体の開口部を確実に閉じて内部に餌床及び幼虫を保持できると共に、幼虫の移し替えを行う際には、簡便に内挿体の周壁部を開放して餌床を露出させ、餌床の中から幼虫を傷付けることなく取り出すことができる使用性に優れた二重飼育容器を提供することができる。
【００２６】
請求項４に記載の発明によれば、請求項１の効果に加え、以下のような効果を有する。
（１）通常は内挿体の分割部を確実に閉じて内部に餌床及び幼虫を保持できると共に、幼虫の移し替えを行う際には、簡便に内挿体の周壁部を開放して餌床を露出させ、餌床の中から幼虫を傷付けることなく取り出すことができる使用性に優れた二重飼育容器を提供することができる。
【００２７】
請求項５に記載の発明によれば、請求項１乃至４の内いずれか１の効果に加え、以下のような効果を有する。
（１）脚部で内挿体の底部を支持することにより、その底部が外側容器の内底面に接触することがなく、内挿体の底部に水抜き孔を形成した際に、液状になった排泄物等の水分を内挿体の外に確実に排出し、内挿体内の環境を適正に保つことができ、衛生的で幼虫の成育性に優れた二重飼育容器を提供することができる。
【００２８】
請求項６に記載の発明によれば、請求項１乃至５の内いずれか１の効果に加え、以下のような効果を有する。
（１）内挿体底蓋部を取り外すことにより、内挿体の周壁部のみを栽割若しくは開放又は分割して、簡便かつ確実に餌床を取り出すことができ、餌床の中から容易に幼虫を探し出すことが可能な使用性に優れた二重飼育容器を提供することができる。
【００２９】
請求項７に記載の発明によれば、請求項１乃至６の内いずれか１の効果に加え、以下のような効果を有する。
（１）液状になった排泄物等の水分を水抜き孔から内挿体の外に確実に排出することができ、餌床を清潔に保つことが可能な幼虫の成育性に優れた二重飼育容器を提供することができる。
【００３０】
請求項８に記載の発明によれば、請求項１乃至７の内いずれか１の効果に加え、以下のような効果を有する。
（１）内挿体の内挿時に、内挿体の鍔部を外側容器の係止部に係止して確実に内挿体を保持することができ、上蓋と外側容器の係止部との間で、内挿体の鍔部を挟持して、内挿体の傾斜を防止し、内挿体の固定安定性に優れるだけでなく、内挿体を外側容器から取り出す際には、鍔部を摘んで引き上げるようにして、容易に内挿体を取り出すことができる内挿体の着脱作業性に優れた二重飼育容器を提供することができる。
【００３１】
請求項９に記載の発明によれば、請求項１乃至８の内いずれか１の効果に加え、以下のような効果を有する。
（１）外側容器の外筒周壁部を上下に分割するか、外筒周壁部から外筒底蓋部を取り外して、内挿体を簡便に取り出すことができる内挿体の着脱作業性に優れた二重飼育容器を提供することができる。
【００３２】
請求項１０に記載の発明によれば、請求項１乃至７の内いずれか１の効果に加え、以下のような効果を有する。
（１）外筒底蓋部又は上蓋を取り外して簡便に内挿体を出し入れすることができ、餌床の交換や幼虫の移し替え作業が容易で、内挿体の着脱作業性に優れるだけでなく、飼育するカブトムシやクワガタムシ等の種類などに応じて、複数の外側容器を連結して全長（容積）を調整することができる外側容器の設計自在性に優れた二重飼育容器を提供することができる。
【図面の簡単な説明】
【００３３】
【図１】（ａ）実施の形態１における二重飼育容器を示す断面図（ｂ）実施の形態１における二重飼育容器の内挿体を示す斜視図
【図２】実施の形態１における二重飼育容器で使用する内挿体の変形例を示す斜視図
【図３】（ａ）実施の形態２における二重飼育容器を示す断面図（ｂ）実施の形態２における二重飼育容器を示す平面図
【図４】実施の形態２における二重飼育容器に用いる内挿体を示す斜視図
【図５】（ａ）実施の形態３における二重飼育容器を示す断面図（ｂ）実施の形態２における二重飼育容器に用いる内挿体を示す斜視図
【図６】実施の形態３における二重飼育容器で使用する内挿体の変形例を示す斜視図
【図７】実施の形態４における二重飼育容器を示す断面図
【図８】（ａ）実施の形態４における二重飼育容器に用いる内挿体を示す斜視図（ｂ）実施の形態４における二重飼育容器に用いる内挿体を分解した状態を示す斜視図
【図９】（ａ）実施の形態５における二重飼育容器に用いる内挿体を示す斜視図（ｂ）実施の形態５における二重飼育容器に用いる内挿体を分解した状態を示す斜視図
【図１０】（ａ）実施の形態６における二重飼育容器に用いる内挿体を示す斜視図（ｂ）実施の形態６における二重飼育容器に用いる内挿体の平面展開図
【発明を実施するための形態】
【００３４】
（実施の形態１）
本発明の実施の形態１における二重飼育容器について、以下図面を用いて説明する。
図１（ａ）は実施の形態１における二重飼育容器を示す断面図であり、図１（ｂ）は実施の形態１における二重飼育容器の内挿体を示す斜視図である。
図１（ａ）中、１は本発明の実施の形態１における甲虫類の二重飼育容器、１０はＰＰやＰＳ等の熱可塑性樹脂で有底円筒状に成形され後述する内挿体２０を着脱自在に内包した二重飼育容器１の外側容器、１１は外側容器１０の外筒周壁部、１２は外側容器１０の外筒底部、１３は外側容器１０の外筒周壁部１１の上端部に形成された肉厚の係止部、１４は外側容器１０の外筒周壁部１１の上端で係止部１３の外周に形設した雄螺子からなる上端係着部、２０はＰＥやＰＰ等のポリオレフィンで薄肉の有底円筒状に形成された二重飼育容器１の内挿体、２１は内挿体２０の周壁部、２２は内挿体２０の底部、２３は内挿体２０の周壁部２１の上端部に係止部１３の上面と略同一か少し小さい径で外周方向に突出して形成され外側容器１０の係止部１３に係止される鍔部、２６は外側容器１０の外筒底部１２と内挿体２０の底部２２との間に形成された空間部、３０は外側容器１０の上端に着脱自在に覆設される二重飼育容器１の上蓋、３１は上蓋３０の天面部、３２は天面部３１の外周を囲繞する上蓋周壁部、３３は上蓋周壁部３２の内周に形設され外側容器１０の外筒周壁部１１の上端係着部１４と螺合する雌螺子からなる上蓋係着部である。
図１（ｂ）中、２４は内挿体２０の周壁部２１の上端部側及び鍔部２３に形成された切れ目部、２５は内挿体２０の底部２２に形成された複数の水抜き孔である。
尚、内挿体２０の内部にはカブトムシやクワガタムシ等の甲虫類の幼虫と共に餌床が充填されるが、ここでは説明の都合上、省略した。
【００３５】
上蓋３０の天面部３１には、空気孔（図示せず）が形成され、その上側若しくは下側にはフィルターが配設されるのが好ましい。これにより餌床屑の漏れを防ぐと共に、空気の流通を確保することができる。また、ダニ、ハエ、胞子、その他の微生物の侵入を防止できる。
本実施の形態では、外側容器１０と内挿体２０をいずれも略円筒状に形成したが、外側容器１０と内挿体２０を同形状に形成する必要はなく、例えば、内挿体２０を円筒状に形成し、外側容器１０を角筒状に形成してもよい。外側容器１０が角筒状の場合は二重飼育容器１の転がりを防止できる。
尚、少なくとも外側容器１０は、顔料で、暗色系（コゲ茶等）の半透明に着色し、遮光性を備えるようにするのが好ましい。これにより光の透過率を下げて幼虫へのストレスを低減することができる。
【００３６】
本実施の形態では、上端係着部１４及び上蓋係着部３３として、固定の安定性、確実性に優れる雄螺子と雌螺子で螺合するものを用いたが、上端係着部１４及び上蓋係着部３３はこれに限定されるものではなく、互いに係着できるものであればよい。例えば、突起若しくはＬ字の鉤溝等で係止するものでもよい。
内挿体２０の周壁部２１の高さを外側容器１０の外筒周壁部１１の高さよりも短く形成することにより、内挿体２０の底部２２を外側容器１０の外筒底部１２の内面から浮かせて空間部２６を形成した。これにより、内挿体２０の底部２２に形成した水抜き孔２５から、液状になった排泄物等の水分を内挿体２０の外に確実に排出し、外側容器１０の外筒底部１２に溜めることができる。このとき、外筒底部１２を着脱自在に形成しておけば、内挿体２０を外側容器１０から抜き取ることなく、外筒底部１２を取り外すだけで、外筒底部１２に溜まった水分を廃棄することができ、使用性に優れる。
【００３７】
水抜き孔２５は、内挿体２０の底部２２に予め形成してもよいが、使用直前に針などで形成してもよい。特に、移し替え用の新しい飼料の入った内挿体２０の場合、未使用時は鍔部２３の上にフィルムをヒートシールし、乾燥した（最適飼育状態に保持した）密閉状態で流通が可能であり、使用直前にフィルムを剥がし、水抜き孔２５を形成することにより、使用前の保管状態での雑菌の繁殖やダニ等の侵入を防ぎ、生育環境の劣化を防止することができる。
尚、水抜き孔２５は開放状態のままで使用してもよいし、栓の挿抜により開閉を切り替えて使用してもよい。水抜き孔２５を開閉自在とした場合、幼虫の生態を観察しながらその状態に応じて、水抜き孔２５を開閉し、水分（湿度）の調節を行って、内挿体２０内の環境を幼虫の生育に適した範囲内に適正に維持させることができ、これによって幼虫の生育不良を防止できる。
【００３８】
以上のように形成された実施の形態１における二重飼育容器１の使用方法について説明する。
図１（ａ）において、二重飼育容器１の内挿体２０の内部にはカブトムシやクワガタムシ等の甲虫類の幼虫と共に餌床が充填される。餌となる菌糸の食い尽くしや消滅や劣化、或いは排泄物の増加等により幼虫の移し替えを行う必要があると判断した時に、二重飼育容器１の上蓋３０を取り、内挿体２０を外側容器１０から抜き出す。このとき、内挿体２０の鍔部２３を摘むようにして簡便に内挿体２０を抜き出すことができる。そして、切れ目部２４の両側を左右或いは前後に引っ張るようにして、内挿体２０の周壁部２１を引き裂いて栽割する。その後、ほぼ全体が露出した餌床をほぐして、内部の幼虫を取り出す。尚、内挿体２０の切れ目部２４は１箇所に限らず、複数箇所に形成してもよい。特に、内挿体２０の周壁部２１の対向する２箇所に切れ目部２４を形成した場合、周壁部２１を半割して簡便に餌床を取り出すことができ、使用性に優れる。
別途、新たな餌床が充填された内挿体２０を用意し、スプーンなどを用いて、餌床に孔を掘り、その中に幼虫を埋める。
最後に、内挿体２０の底部２２に針などで水抜き孔２５をあけ、外側容器１０に内挿し、上蓋３０を閉める。
【００３９】
次に実施の形態１における二重飼育容器１で使用する内挿体の変形例について説明する。
図２は実施の形態１における二重飼育容器で使用する内挿体の変形例を示す斜視図である。尚、実施の形態１と同様のものは同じ符号を付して説明を省略する。
図２において、変形例における内挿体２０Ａが実施の形態１における内挿体２０と異なるのは、鍔部２３ａが複数に分割されている点と、１つの鍔部２３ａ及び周壁部２１の全長に渡って、ミシン目状の切れ目部２４ａが形成されている点である。
【００４０】
複数に分割して形成した鍔部２３ａを等角度間隔で配置することにより、内挿体２０Ａの重量を複数の鍔部２３ａに均等に分散させることができ、特定の鍔部２３ａに負荷が集中することを防止できると共に、内挿体２０Ａの傾きを防止することができ、固定の信頼性に優れる。
また、周壁部２１の全長に渡って、ミシン目状の切れ目部２４ａが形成されているので、子供等の小さな力でも簡便かつ確実に周壁部２１を栽割することができ、使用性に優れる。切れ目部２４ａは切れ目部２４と同様に複数箇所に形成することができる。
尚、変形例における内挿体２０Ａの使用方法は、実施の形態１における内挿体２０と同様であるので、説明を省略する。
【００４１】
以上のように構成された本発明の実施の形態１における二重飼育容器によれば、以下の作用を有する。
（１）周壁部の一側部で栽割可能に形成された内挿体と、内挿体を着脱自在に内包した外側容器を有するので、内挿体に餌床と共に幼虫を入れておけば、餌が減るなどして、幼虫を新しい容器に移し替える際に、外側容器から内挿体を取り出し、内挿体の周壁部を栽割することにより、取り出した餌床をほぐして、内部の幼虫を傷付けることなく取り出すことができ、短時間で移し替え作業を行うことが可能で、幼虫のストレスや人の手間を軽減でき、使用性に優れる。
（２）周壁部の一側部で栽割可能に形成された内挿体は、人が手で簡単に裂くことができ、構造が極めて簡単で量産性に優れる。
（３）内挿体の周壁部の長手方向の上端部や全長に渡って形成されたミシン目状の切れ目部を有することにより、切れ目部が形成された一端部から他端部に向かって周壁部を小さな力で簡便かつ確実に栽割することができ、使用性に優れる。
（４）内挿体の周壁部の上端部の少なくとも一部に周壁部の外周方向に突出して形成された鍔部と、外側容器の周壁部の上端部に形成され内挿体の鍔部が係止される係止部を有することにより、内挿体の内挿時に、内挿体の鍔部を外側容器の係止部に係止して確実に内挿体を保持することができ、内挿体を外側容器から取り出す際には、鍔部を利用して、容易に内挿体を取り出すことができ、内挿体の着脱作業性に優れる。
（５）外側容器の外筒周壁部の上端外周に形設された上端係着部と、外側容器の上端係着部に係着され内挿体及び外側容器の上端開口部に着脱自在に覆設される上蓋を有するので、外側容器に上蓋を着脱するだけで、内挿体及び外側容器の上端開口部を同時に開閉することができ、内挿体の着脱作業性に優れる。
（６）外側容器に上蓋を係着することにより、上蓋と外側容器の鍔部との間で、内挿体の係止部を挟持することができ、外側容器の内部で内挿体が傾いたり回転したりすることがなく、内挿体の姿勢を維持することが可能で、内挿体の固定安定性に優れる。
（７）内挿体の底部に穿設された水抜き孔を有することにより、液状になった排泄物等の水分を内挿体の外に確実に排出することができ、餌床を清潔に保つことが可能で、幼虫の成育性に優れる。
【００４２】
（実施の形態２）
実施の形態２における二重飼育容器について、以下、図面を用いて説明する。尚、実施の形態１と同様のものには同一の符号を付して説明を省略する。
図３（ａ）は実施の形態２における二重飼育容器を示す断面図であり、図３（ｂ）は実施の形態２における二重飼育容器を示す平面図であり、図４は実施の形態２における二重飼育容器に用いる内挿体を示す斜視図である。
図３（ａ）において、実施の形態２における二重飼育容器１Ａが実施の形態１と異なるのは、外側容器１０Ａの上端係着部１４が外筒周壁部１１の上端側の内周に形設されている点と、外側容器１０Ａの外筒周壁部１１と外筒底蓋部１２Ａが着脱自在に形成されている点と、上蓋３０の天面部３１の上部外周に他の二重飼育容器１Ａの外筒底蓋部１２Ａが嵌合可能な嵌合側壁部３４が形成されている点である。
尚、図３（ａ）中、１１ａは外側容器１０Ａの外筒周壁部１１の下端外周部に形設された雄螺子からなる下端係着部、１２ａは外側容器１０Ａの外筒周壁部１１の下端部に着脱自在に覆設される外筒底蓋部１２Ａの底板部、１２ｂは底板部１２ａの外周を囲繞する外筒底蓋部１２Ａの側壁部、１２ｃは側壁部１２ｂの内周に形設され外筒周壁部１１の下端係着部１１ａと螺合される雌螺子からなる底蓋係着部である。
【００４３】
外側容器１０Ａの外筒周壁部１１の下端側の外周及び上端側の内周にそれぞれ下端係着部１１ａと上端係着部１４を形設し、１つの外側容器１０Ａの下端係着部１１ａと他の外側容器１０Ａの上端係着部１４が着脱可能に形成されているので、飼育するカブトムシやクワガタムシ等の種類などに応じて、複数の外側容器１０Ａを連結して全長（容積）を調整することができ、外側容器１０Ａの設計自在性に優れる。特に、複数の外側容器１０Ａを連結した時に、外筒周壁部１１の内面がストレート（面一）になるように下端係着部１１ａと上端係着部１４を形設することにより、内挿体２０Ｂの着脱時に外筒周壁部２１の内部で引っ掛かることがなく、スムーズに内挿体２０Ｂの出し入れを行うことができ、内挿体２０Ｂの着脱作業性に優れると共に、餌床の内部で幼虫が移動する際の障害物がなく、幼虫が傷付き難く、ストレスを低減することができ、飼育環境の安全性に優れる。
上蓋３０の嵌合側壁部３４の内径は、外筒底蓋部１２Ａの側壁部１２ｂの外径よりもやや大きめに形成した。これにより、嵌合側壁部３４の内側に他の二重飼育容器１Ａの外筒底蓋部１２Ａを嵌合することができ、複数の二重飼育容器１Ａの運搬時や収納時の省スペース性、取扱い性に優れる。
【００４４】
また、図３（ｂ）において、実施の形態２における二重飼育容器１Ａが実施の形態１と異なるのは、外側容器１０Ａの上蓋３０の嵌合側壁部３４の一側部に平坦な転がり防止部３４ａが形成されている点である。
これにより、二重飼育容器１Ａを横倒しにしても、平坦な転がり防止部３４ａと接地面が平面で接触し、二重飼育容器の転がりを防止できる。転がり防止部３４ａは、外筒底蓋部１２Ａの側壁部１２ｂの一側部にも形成することができる。尚、外側容器１０Ａの外筒周壁部１１を多角筒状に形成する場合は、上蓋３０や外筒底蓋部１２Ａに転がり防止部３４ａを設けなくてもよい。
【００４５】
図４において、実施の形態２における二重飼育容器１Ａの内挿体２０Ｂが実施の形態１と異なるのは、１枚のシートを円筒状に丸め、端部同士を突き合わせたり重ね合わせたりした接合部２４ｂで開閉自在な周壁部２１が形成されている点と、底部２２を備えていない点である。
内挿体２０Ｂの周壁部２１の全長は、外側容器１０Ａの周壁部１１の全長よりも長く形成し、内挿体２０Ｂの周壁部２１の上端及び下端がそれぞれ外側容器１０Ａの外筒周壁部１１の上端及び下端よりも外方に突出するようにした。これにより、上蓋３０又は底部１２Ａを取り外した時に、内挿体２０Ｂの周壁部２１の上端又は下端を直接、手で握って内挿体２０Ｂを確実に抜き取ることができる。
切れ目部２４を形成する代わりに、１枚のシートの端部同士を接合部２４ｂで開閉自在に突き合わせているだけなので、内挿体２０Ｂを餌床と共に外側容器１０Ａから抜き出した後、周壁部２１を簡便に開いて平板状に展開し、餌床を取り出すことができ、使用性に優れる。また、内挿体２０Ｂを成形するための金型が不要で、量産性に優れる。尚、周壁部２１は１枚のシートで開閉自在な円筒状に形成する代わりに、２つの半円筒状に分断してもよい。また、周壁部２１は円筒状に限らず、多角筒状に形成してもよい。
【００４６】
以上のように構成された本発明の実施の形態２における二重飼育容器によれば、実施の形態１の（５），（７）の作用に加え、以下の作用を有する。
（１）周壁部の少なくとも一側部で開閉可能に形成された内挿体と、内挿体を着脱自在に内包した外側容器を有するので、内挿体に餌床と共に幼虫を入れておけば、餌が減るなどして、幼虫を新しい容器に移し替える際に、外側容器から内挿体を取り出し、内挿体の周壁部を開くことにより、容易に餌床をほぐして、内部の幼虫を傷付けることなく取り出すことができ、短時間で移し替え作業を行うことが可能で、幼虫のストレスや人の手間を軽減でき、使用性に優れる。
（２）周壁部の一側部で開閉可能に形成された内挿体は、繰り返し使用することが可能で、省資源性に優れる。
（３）外側容器が、外筒周壁部の下端側の外周又は内周に形設された下端係着部と、外筒周壁部の上端側の内周又は外周に形設され他の外側容器の下端係着部と着脱可能な上端係着部を有するので、飼育するカブトムシやクワガタムシ等の種類などに応じて、複数の外側容器を連結して全長（容積）を調整することができ、外側容器の設計自在性に優れる。
（５）外筒周壁部の下端係着部に着脱自在に係着される底蓋係着部を有する外筒底蓋部と、外筒周壁部の上端嵌着部に着脱自在に係着される上蓋係着部を有する上蓋を備えているので、外筒底蓋部又は上蓋のいずれか一方を取り外して簡便に内挿体を出し入れすることができ、餌床の交換や幼虫の移し替え作業が容易で、内挿体の着脱作業性に優れる。
【００４７】
（実施の形態３）
実施の形態３における二重飼育容器について、以下、図面を用いて説明する。尚、実施の形態１又は２と同様のものには同一の符号を付して説明を省略する。
図５（ａ）は実施の形態３における二重飼育容器を示す断面図であり、図５（ｂ）は実施の形態３における二重飼育容器に用いる内挿体を示す斜視図である。
図５（ａ）において、実施の形態３における二重飼育容器１Ｂが実施の形態２と異なるのは、外側容器１０Ｂの上端係着部１４が、外筒周壁部１１の外周側に形設されている点と、上蓋３０が、嵌合側壁部３４を備えていない点である。外側容器１０Ｂは、実施の形態２の外側容器１０Ａのように、連結することはできないが、上下対称に形成されるので、使用時に上下を気にする必要がなく、上端係着部１４の加工も容易で、量産性に優れる。
【００４８】
また、図５（ｂ）において、実施の形態３における二重飼育容器１Ｂの内挿体２０Ｃが実施の形態２と異なるのは、１枚のシートの両端部が、貼り合わせ部２４ｃで熱溶着や接着剤などで貼り合わされて、周壁部２１が形成されている点と、底部２２を有する点と、鍔部２３及び切れ目部２４を備えていない点である。
尚、内挿体２０Ｃの底部２２には、実施の形態１と同様に、水抜き孔２５を形成することができる。
内挿体２０Ｃの周壁部２１の全長は、実施の形態２と同様に、外側容器１０Ｂの周壁部１１の全長よりも長く形成し、内挿体２０Ｃの周壁部２１の上端及び下端がそれぞれ外側容器１０Ｂの外筒周壁部１１の上端及び下端よりも外方に突出するようにした。これにより、上蓋３０又は外筒底蓋部１２Ａを取り外した時に、内挿体２０Ｃの周壁部２１の上端又は下端を直接、手で握って内挿体２０Ｃを確実に抜き取ることができる。
切れ目部２４を形成する代わりに、周壁部２１の貼り合わせ部２４ｃが剥がれ易いように、粘着力の弱い接着剤などを用いれば、小さな力で容易に周壁部２１を栽割することができ、使用性に優れる。また、内挿体２０Ｃを成形するための金型が不要で、量産性に優れる。
尚、本実施の形態では、外筒周壁部１１に対して、外筒底蓋部１２Ａ及び上蓋３０の両方を着脱自在に形成したが、いずれか一方のみを着脱自在に形成し、他方は外筒周壁部１１と一体に形成してもよい。
【００４９】
次に実施の形態３における二重飼育容器１Ｂで使用する内挿体の変形例について説明する。
図６は実施の形態３における二重飼育容器で使用する内挿体の変形例を示す斜視図である。尚、実施の形態３と同様のものは同じ符号を付して説明を省略する。
図６において、変形例における内挿体２０Ｄが実施の形態３における内挿体２０Ｃと異なるのは、内挿体２０Ｄの周壁部２１と内挿体底蓋部２２Ａが着脱自在に形成されている点である。
尚、図６中、２２ａは内挿体２０Ｄの周壁部２１の下端部に着脱自在に嵌合される内挿体底蓋部２２Ａの底板部、２２ｂは底板部２２ａの外周を囲繞し周壁部２１の下端部が挿通される内挿体底蓋部２２Ａの側壁部である。
内挿体２０Ｄの周壁部２１と内挿体底蓋部２２Ａが着脱自在であるので、内挿体２０Ｄを外側容器１０Ｂから抜き出した後、内挿体底蓋部２２Ａを取り外すことにより、栽割した周壁部２１を平面状に展開して餌床を簡便に取り出すことができ、使用性に優れる。
【００５０】
以上のように構成された本発明の実施の形態３における二重飼育容器によれば、実施の形態１の（１），（２），（５），（７）の作用に加え、以下の作用を有する。
（１）外側容器の外筒周壁部と外筒底蓋部が着脱自在であることにより、外筒周壁部から外筒底蓋部を取り外して、内挿体を簡便に取り出すことができ、内挿体の着脱作業性に優れる。
（２）内挿体の周壁部と内挿体底蓋部を着脱自在にした場合、内挿体底蓋部を取り外すことにより、内挿体の周壁部のみを栽割して、簡便かつ確実に餌床を取り出すことができ、餌床の中から容易に幼虫を探し出すことが可能で、使用性に優れる。
（３）着脱自在な内挿体の内挿体底蓋部が側壁部を有するので、側壁部の内側に挿通される内挿体の周壁部の下端側を固定して形状を保持することができ、内挿体の形状安定性に優れる。
【００５１】
（実施の形態４）
実施の形態４における二重飼育容器について、以下、図面を用いて説明する。尚、実施の形態１乃至３と同様のものには同一の符号を付して説明を省略する。
図７は実施の形態４における二重飼育容器を示す断面図であり、図８（ａ）は実施の形態４における二重飼育容器に用いる内挿体を示す斜視図であり、図８（ｂ）は実施の形態４における二重飼育容器に用いる内挿体を分解した状態を示す斜視図である。
図７において、実施の形態４における二重飼育容器１Ｃの外側容器１０Ｃが実施の形態１と異なるのは、外筒周壁部１１Ａが上部筒状部１１ｂと下部筒状部１１ｃに分割可能に形成されている点である。
尚、図７中、１４ａは上部筒状部１１ｂの下端内周に形設された雌螺子からなる分割用下端係着部、１４ｂは下部筒状部１１ｃの上端内周に形設され分割用下端係着部１４ａと着脱自在に螺着される雄螺子からなる分割用上端係着部である。尚、分割用下端係着部１４ａ及び分割用上端係着部１４ｂは互いに係着できるものであればよく、例えば、突起若しくはＬ字の鉤溝等で係止するものでもよい。
上部筒状部１１ｂと下部筒状部１１ｃを分割し、上部筒状部１１ｂを取り外すことにより、内挿体２０Ｅの周壁部２１ａを大きく露出させることができるので、周壁部２１ａを直接、手で掴んで内挿体２０Ｅを簡便かつ確実に出し入れすることができ、内挿体２０Ｅの着脱作業性に優れる。
【００５２】
次に実施の形態４における二重飼育容器１Ｃで使用する内挿体２０Ｅについて説明する。
図８において、実施の形態４における二重飼育容器１Ｃで使用する内挿体２０Ｅが実施の形態１と異なるのは、周壁部２１ａの一側部で開閉可能に形成されている点と、周壁部２１ａに対し内挿体底蓋部２２Ｂが着脱自在に形成されている点である。
尚、図８（ａ）中、２１ｂは周壁部２１ａの折り曲げ可能な薄肉部（ヒンジ部）、２１ｃは薄肉部２１ｂと対向する開閉自在な周壁部２１ａの開口部、２１ｄは開口部２１ｃの上下２箇所に形成され開口部２１ｃを開閉自在に保持する２組の開口保持部である。
図８（ｂ）中、２１ｅは周壁部２１ａの開口部２１ｃの両側の上下２箇所にそれぞれ形成された開口保持部２１ｄの当接片、２１ｆは開口部２１ｃの一方に形成された上下の当接片２１ｅの表面に突設された嵌合突起、２１ｇは開口部２１ｃの他方に形成された上下の当接片２１ｅに穿設され嵌合突起２１ｆが嵌合される嵌合孔、２１ｈは周壁部２１ａの下端側外周に形設された雄螺子からなる内挿体係着部、２２ｃは底部２２Ｂの底板部２２ａの下方に突出して形成された３〜４本の脚部、２２ｄは底部２２Ｂの側壁部２２ｂの内周に形設され周壁部２１ａの内挿体係着部２１ｈと螺合される雌螺子からなる内挿体底部係着部である。尚、内挿体係着部２１ｈ及び内挿体底部係着部２２ｄは、これに限定されず、互いに係着できるものであればよい。
【００５３】
開閉自在な周壁部２１ａの開口部２１ｃと対向する側に折り曲げ可能な薄肉部（ヒンジ部）２１ｂを一体的に形成することにより、組み立て作業が不要で製造工数を低減でき生産性に優れる。また、周壁部２１ａと底部２２Ｂを螺子止めによって強固に固定することにより、周壁部２１ａが開口部２１ｃから開いて内部の餌などが外側容器１０Ｃに漏れることを防止でき、内挿体２０Ｅの形状安定性に優れる。
開口保持部２１ｄの形状や配置は、本実施の形態に限定されるものではなく、互いに嵌合する少なくとも１組の嵌合雄部と嵌合雌部を備えていればよい。また、嵌合雄部と嵌合雌部の組合せ以外にも、内挿体２０Ｅの開口部２１ｃを開閉自在に保持できるものであればよく、開口部２１ｃの両側に互いに係合する係合突起を設けてもよい。
尚、この内挿体２０Ｅは、周壁部２１ａの一側部で開閉可能に形成されているので、使用後に一旦、業者が回収し、新しい飼料を詰めて再使用することができ、省資源性に優れる。
【００５４】
以上のように構成された本発明の実施の形態４における二重飼育容器によれば、実施の形態１の（５），（７）の作用に加え、以下の作用を有する。
（１）周壁部の一側部で開閉可能に形成された内挿体と、内挿体を着脱自在に内包した外側容器を有するので、内挿体に餌床と共に幼虫を入れておけば、餌が減るなどして、幼虫を新しい容器に移し替える際に、外側容器から内挿体を取り出し、内挿体の周壁部を開くことにより、容易に餌床をほぐして、内部の幼虫を傷付けることなく取り出すことができ、短時間で移し替え作業を行うことが可能で、幼虫のストレスや人の手間を軽減でき、使用性に優れる。
（２）周壁部の一側部で開閉可能に形成された内挿体は、繰り返し使用することが可能で、省資源性に優れる。
（３）周壁部の一側部で開閉可能に形成された内挿体の開口部を開閉自在に保持する開口保持部を有するので、通常は内挿体の開口部を確実に閉じて内部に餌床及び幼虫を保持できると共に、幼虫の移し替えを行う際には、開口保持部によって簡便に内挿体の周壁部を開放して餌床を露出させることができ、餌床の中から幼虫を傷付けることなく取り出すことができ、使用性に優れる。
（４）内挿体の底部に下方に突出して形成された脚部を有することにより、内挿体の底部が外側容器の内底面に接触することがないので、内挿体の底部に水抜き孔を形成した際に、液状になった排泄物等の水分を内挿体の外に確実に排出することができる。
（５）内挿体の周壁部と内挿体底蓋部が着脱自在であるので、内挿体底蓋部を取り外すことにより、周壁部のみを開放して、簡便かつ確実に餌床を取り出すことができ、餌床の中から容易に幼虫を探し出すことが可能で、使用性に優れる。
（６）外側容器が、外筒周壁部で上下に分割可能であることにより、外側容器を外筒周壁部で上下に分割して、内挿体を簡便に取り出すことができ、内挿体の着脱作業性に優れる。
【００５５】
（実施の形態５）
実施の形態５における二重飼育容器に用いる内挿体について、以下、図面を用いて説明する。
図９（ａ）は実施の形態５における二重飼育容器に用いる内挿体を示す斜視図であり、図９（ｂ）は実施の形態５における二重飼育容器に用いる内挿体を分解した状態を示す斜視図である。
図９において、実施の形態５における内挿体２０Ｆが実施の形態１乃至４における内挿体と異なるのは、内挿体２０Ｆが分割部４１ａにおいて２つの半円筒体４０ａ，４０ｂに分割可能に形成されている点である。
尚、図９（ａ）中、４０ａ，４０ｂは内挿体２０Ｆを形成する２つの半円筒体、４１は半円筒体４０ａ，４０ｂの周壁部、４１ａは内挿体２０Ｆを２つの半円筒体４０ａ，４０ｂに分割する２箇所の分割部、４２は半円筒体４０ａ，４０ｂの底部、４３は各々の分割部４１ａの上下２箇所に形成され分割部４１ａを着脱自在に保持する分割保持部である。
図９（ｂ）中、４４ａ，４４ｂは半円筒体４０ａ，４０ｂの周壁部４１の両側（分割部４１ａ）の上下２箇所にそれぞれ形成された分割保持部４３の当接片、４５ａは周壁部４１の分割部４１ａの一方に形成された上下の当接片４４ａの表面に突設された嵌合突起、４５ｂは周壁部４１の分割部４１ａの他方に形成された上下の当接片４４ｂに穿設され嵌合突起４５ａが嵌合される嵌合孔である。
【００５６】
尚、この内挿体２０Ｆは、実施の形態１乃至４で説明した外側容器１０，１０Ａ，１０Ｂ，１０Ｃと組み合わせて使用することができる。
分割保持部４３としては、内挿体２０Ｆの分割部４１ａを開閉自在に保持できるものであればよく、実施の形態４における内挿体２０Ｅの開口保持部２１ｄと同様のものを用いることができる。また、周壁部４１と一体に底部４２を形成する代わりに、実施の形態４における内挿体２０Ｅと同様に、着脱自在な内挿体底蓋部２２Ｂと組合せることもできる。
この内挿体２０Ｆは、全体が分割可能に形成されているので、実施の形態４における内挿体２０Ｅと同様に、繰り返し使用することができ、省資源性に優れる。
【００５７】
以上のように構成された本発明の実施の形態５における二重飼育容器によれば、実施の形態１の（５），（７）の作用に加え、以下の作用を有する。
（１）全体が２つに分割可能に形成された内挿体と、内挿体を着脱自在に内包した外側容器を有するので、内挿体に餌床と共に幼虫を入れておけば、餌が減るなどして、幼虫を新しい容器に移し替える際に、外側容器から内挿体を取り出し、内挿体を分割することにより、容易に餌床をほぐして、内部の幼虫を傷付けることなく取り出すことができ、短時間で移し替え作業を行うことが可能で、幼虫のストレスや人の手間を軽減でき、使用性に優れる。
（２）全体が２つに分割可能に形成された内挿体は、繰り返し使用することが可能で、省資源性に優れる。
（３）全体が２つに分割可能に形成された内挿体の分割部を着脱自在に保持する分割保持部を有するので、通常は内挿体の分割部を確実に閉じて内部に餌床及び幼虫を保持できると共に、幼虫の移し替えを行う際には、分割保持部によって簡便に内挿体の周壁部を開放して餌床を露出させることができ、餌床の中から幼虫を傷付けることなく取り出すことができ、使用性に優れる。
【００５８】
（実施の形態６）
実施の形態６における二重飼育容器に用いる内挿体について、以下、図面を用いて説明する。
図１０（ａ）は実施の形態６における二重飼育容器に用いる内挿体を示す斜視図であり、図１０（ｂ）は実施の形態６における二重飼育容器に用いる内挿体の平面展開図である。
図１０において、実施の形態６における内挿体２０Ｇが実施の形態１乃至５における内挿体と異なるのは、内挿体２０Ｇの周壁部５１が複数の分割壁部５１ａに分断されて形成されている点である。
尚、図１０（ａ）中、５１ａは内挿体２０Ｇの周壁部５１を形成する複数の分割壁部、５２は内挿体２０Ｇの底部、５３は各々の分割壁部５１ａの上端部を外方に折曲して形成される鍔部である。
この内挿体２０Ｇは、実施の形態１乃至４で説明した外側容器１０，１０Ａ，１０Ｂ，１０Ｃ等と組み合わせて使用することができる。
各々の分割壁部５１ａを底部５２に対して折り曲げ自在に形成することにより、外側容器１０，１０Ａ，１０Ｂ，１０Ｃから抜き出した後、分割壁部５１ａを広げて平面状に展開し、内部の餌や幼虫を簡便に取り出すことができ、使用性に優れる。
尚、鍔部５３は、一緒に使用する外側容器１０，１０Ａ，１０Ｂ，１０Ｃの形態や必要に応じて形成すればよい。鍔部５３を形成した場合は、鍔部５３を摘むようにして簡便に内挿体２０Ｇの出し入れを行うことができ、内挿体２０Ｇの取扱い性、着脱作業性に優れる。本実施の形態では、内挿体２０Ｇの底部５２を円形に形成したが、分割壁部５１ａの数に合わせて多角形状に形成してもよい。その場合、外側容器の外筒周壁部も同様に多角形状に形成することにより、分割壁部５１ａが外方に開くことを防止でき、内挿体２０Ｇの形状安定性に優れる。
尚、使用時には、細い紐や糸を内挿体２０Ｇの周壁部５１の外周に巻き付けてもよい。これにより、外側容器１０等への内挿体２０Ｇの装着利便性を高めることができる。
【００５９】
以上のように構成された本発明の実施の形態６における二重飼育容器によれば、実施の形態１の（５），（７）の作用に加え、以下の作用を有する。
（１）周壁部が複数の分割壁部に分断されて形成された内挿体と、内挿体を着脱自在に内包した外側容器を有するので、内挿体に餌床と共に幼虫を入れておけば、餌が減るなどして、幼虫を新しい容器に移し替える際に、外側容器から内挿体を取り出し、内挿体の周壁部を開くことにより、容易に餌床をほぐして、内部の幼虫を傷付けることなく取り出すことができ、短時間で移し替え作業を行うことが可能で、幼虫のストレスや人の手間を軽減でき、使用性に優れる。
（２）周壁部が複数の分割壁部に分断されて形成された内挿体は、外側容器から内挿体を取り出すだけで、内挿体の周壁部（分割壁部）を外方に広げて、内部の餌や幼虫を取り出すことができ、構造が簡単で量産性、取扱い性に優れると共に、繰り返し使用することも可能で、省資源性に優れる。
【符号の説明】
【００６０】
１，１Ａ，１Ｂ，１Ｃ  二重飼育容器
１０，１０Ａ，１０Ｂ，１０Ｃ  外側容器
１１，１１Ａ  外筒周壁部
１１ａ  下端係着部
１１ｂ  上部筒状部
１１ｃ  下部筒状部
１２  外筒底部
１２Ａ  外筒底蓋部
１２ａ，２２ａ  底板部
１２ｂ，２２ｂ  側壁部
１２ｃ  底蓋係着部
１３  係止部
１４  上端係着部
１４ａ  分割用下端係着部
１４ｂ  分割用上端係着部
２０，２０Ａ，２０Ｂ，２０Ｃ，２０Ｄ，２０Ｅ，２０Ｆ，２０Ｇ  内挿体
２１，２１ａ，４１，５１  周壁部
２１ｂ  薄肉部（ヒンジ部）
２１ｃ  開口部
２１ｄ  開口保持部
２１ｅ，４４ａ，４４ｂ  当接片
２１ｆ，４５ａ  嵌合突起
２１ｇ，４５ｂ  嵌合孔
２１ｈ  内挿体係着部
２２ｃ  脚部
２２ｄ  内挿体底部係着部
２２，４２，５２  底部
２２Ａ，２２Ｂ  内挿体底蓋部
２３，２３ａ，５３  鍔部
２４，２４ａ  切れ目部
２４ｂ  接合部
２４ｃ  貼り合わせ部
２５  水抜き孔
２６  空間部
３０  上蓋
３１  天面部
３２  上蓋周壁部
３３  上蓋係着部
３４  嵌合側壁部
３４ａ  転がり防止部
４０ａ，４０ｂ  半円筒体
４１ａ  分割部
４３  分割保持部
５１ａ  分割壁部
【図１】
2010200614.tif 000003
【図２】
2010200614.tif 000004
【図３】
2010200614.tif 000005
【図４】
2010200614.tif 000006
【図５】
2010200614.tif 000007
【図６】
2010200614.tif 000008
【図７】
2010200614.tif 000009
【図８】
2010200614.tif 000010
【図９】
2010200614.tif 000011
【図１０】
2010200614.tif 000012